(57)【要約】【課題】コンテンツデータがコピーされたとしても、コンテンツデータの再生を制限する。【解決手段】データ再生制限システム１は、複数の区間データから構成されるコンテンツデータ４０１について、区間データを難視聴順序に並べ替えて格納したブルーレイディスク５ａ〜ｃから、コンテンツデータ４０１を読み出して再生するデータ再生装置３ａ〜ｃと、該装置３ａ〜ｃに対してコンテンツデータ４０１の再生に必要な情報を送信する管理サーバ７とを含む。データ再生装置３ａ〜ｃは、ブルーレイディスク５ａ〜ｃから、正しい再生順序を表す暗号化された順序情報、プレイリスト４０４、及びアドレステーブル４０５を取得するとともに、管理サーバ７から取得した復号鍵を用いて順序情報を復号する。また、復号した順序情報、プレイリスト４０４、及びアドレステーブル４０５に基づき、正しい順序で区間データを再生する。【選択図】図３
2010050839.tif 000002
【特許請求の範囲】
【請求項１】
複数の区間データから構成されるコンテンツデータについて、前記区間データを正しい順序とは異なる順序で並べ替えて格納した記憶媒体から、前記コンテンツデータを読み出して再生するデータ再生装置であって、
前記正しい順序を表す順序情報を、前記記憶媒体から、可搬型記憶媒体から、又は通信回線を介して順序情報配信装置から取得する順序情報取得手段と、
前記コンテンツデータ内における前記区間データの位置情報を取得するための位置定義情報を、前記記憶媒体から、可搬型記憶媒体から、又は通信回線を介して位置定義配信装置から取得する位置定義取得手段と、
前記取得した順序情報及び位置定義情報に基づき、前記正しい順序に従って前記コンテンツデータ内における前記区間データの位置情報を取得し、該取得した位置情報に基づき、前記記憶媒体から区間データを取得して再生する手段と、
を備えることを特徴とするデータ再生装置。
【請求項２】
前記順序情報は、前記区間データの識別情報を用いて前記正しい順序を表しており、
前記位置定義情報は、前記区間データごとに、識別情報、再生開始時間、及び再生終了時間を前記正しい順序とは異なる順序に並べたプレイリストと、前記再生開始時間及び前記再生終了時間にそれぞれ対応する前記コンテンツデータ内のアドレスを表すアドレステーブルとから構成され、
前記再生する手段は、前記取得した順序情報に含まれる前記区間データの識別情報に基づき、前記プレイリスト及び前記アドレステーブルから、該識別情報に対応する区間データについて、再生開始時間に対応するアドレス及び再生終了時間に対応するアドレスを該区間データの位置情報として取得する、
請求項１に記載のデータ再生装置。
【請求項３】
前記順序情報取得手段は、前記順序情報を暗号化された状態で取得し、
前記順序情報を復号するための鍵を、通信回線を介して鍵管理装置から取得し、前記順序情報取得手段が前記記憶媒体から取得した順序情報を、前記取得した鍵を用いて復号する手段をさらに備える、
請求項１又は２に記載のデータ再生装置。
【請求項４】
複数の区間データから構成されるコンテンツデータについて、前記区間データを正しい順序とは異なる順序で並べ替えて格納した記憶媒体から、前記コンテンツデータを読み出して再生するデータ再生装置であって、
前記記憶媒体内に暗号化された状態で格納され、前記区間データごとに、再生開始時間及び再生終了時間を前記正しい順序に並べたプレイリストファイルを前記記憶媒体から取得するプレイリストファイル取得手段と、
前記再生開始時間及び前記再生終了時間に対応する前記コンテンツデータ内のアドレスを表すクリップインフォファイルを前記記憶媒体から取得する手段と、
前記プレイリストファイルを復号するための鍵を通信回線を介して鍵管理装置から取得し、前記取得したプレイリストファイルを復号する手段と、
前記復号したプレイリストファイル及び前記クリップインフォファイルを参照し、前記正しい順序に従って、前記区間データごとに再生開始時間に対応するアドレス及び再生終了時間に対応するアドレスを取得し、該取得したアドレスに基づき、前記記憶媒体から区間データを抽出して再生する手段と、
を備えることを特徴とするデータ再生装置。
【請求項５】
複数の区間データから構成されるコンテンツデータについて、前記区間データを正しい順序とは異なる順序で並べ替えて格納した記憶媒体から、前記コンテンツデータを読み出して再生するデータ再生装置であって、
前記区間データごとに、再生開始時間及び再生終了時間を前記正しい順序に並べたプレイリストファイルを、通信回線を介してプレイリストファイル管理装置から取得するプレイリストファイル取得手段と、
前記再生開始時間及び前記再生終了時間に対応する前記コンテンツデータ内のアドレスを表すクリップインフォファイルを前記記憶媒体から取得する手段と、
前記プレイリストファイル及び前記クリップインフォファイルを参照し、前記正しい順序に従って、前記区間データごとに再生開始時間に対応するアドレス及び再生終了時間に対応するアドレスを取得し、該取得したアドレスに基づき、前記記憶媒体から区間データを抽出して再生する手段と、
を備えることを特徴とするデータ再生装置。
【請求項６】
複数の区間データから構成されるコンテンツデータについて、前記区間データを正しい順序とは異なる順序で並べ替えて格納した記憶媒体から、前記コンテンツデータを読み出して再生するデータ再生装置と、前記データ再生装置に対して前記コンテンツデータの再生に必要な情報を送信する管理サーバとを含むデータ再生制限システムであって、
前記データ再生装置は、
前記記憶媒体に暗号化された状態で格納され、前記正しい順序を表す順序情報を前記記憶媒体から取得する順序情報取得手段と、
前記順序情報を復号するための鍵を、通信回線を介して前記管理サーバから取得し、順序情報取得手段が取得した順序情報を、前記取得した鍵を用いて復号する手段と、
前記コンテンツデータ内における前記区間データの位置情報を取得するための位置定義情報を、前記記憶媒体から、可搬型記憶媒体から、又は通信回線を介して前記管理サーバから取得する位置定義取得手段と、
前記復号した順序情報及び前記取得した位置定義情報に基づき、前記正しい順序に従って前記コンテンツデータ内における前記区間データの位置情報を取得し、該取得した位置情報に基づき、前記記憶媒体から区間データを取得して再生する手段と、
を備え、
前記管理サーバは、
前記鍵を格納する手段と、
前記データ再生装置からの要求に応じて、前記鍵を前記必要な情報として前記データ再生装置へ送信する手段と、
を備える、
ことを特徴とするデータ再生制限システム。
【請求項７】
複数の区間データから構成されるコンテンツデータについて、前記区間データを正しい順序とは異なる順序で並べ替えて格納した記憶媒体から、前記コンテンツデータを読み出して再生するデータ再生装置と、前記データ再生装置に対して前記コンテンツデータの再生に必要な情報を送信する管理サーバとを含むデータ再生制限システムであって、
前記データ再生装置は、
前記正しい順序を表す順序情報を、通信回線を介して前記管理サーバから取得する順序情報取得手段と、
前記コンテンツデータ内における前記区間データの位置情報を取得するための位置定義情報を、前記記憶媒体から、可搬型記憶媒体から、又は通信回線を介して前記管理サーバから取得する位置定義取得手段と、
前記取得した順序情報及び位置定義情報に基づき、前記正しい順序に従って前記コンテンツデータ内における前記区間データの位置情報を取得し、該取得した位置情報に基づき、前記記憶媒体から区間データを取得して再生する手段と、
を備え、
前記管理サーバは、
前記順序情報を格納する手段と、
前記データ再生装置からの要求に応じて、前記順序情報を前記必要な情報として前記データ再生装置へ送信する手段と、
を備える、
ことを特徴とするデータ再生制限システム。
【発明の詳細な説明】
【技術分野】
【０００１】
本発明は、記憶媒体に格納されたコンテンツデータの視聴を制限する技術に関し、特にブルーレイディスク（Blu-ray Disc）に格納されたコンテンツデータの視聴を制限する技術に関する。
【背景技術】
【０００２】
従来、著作権保護等の観点から映像の視聴を制限するための多くの技術が開発されている。例えば、ＤＶＤ（Digital Versatile Disk）のパッケージを開封した後一定の期間が経過した場合における情報の読み取りを不可能にするため、ＤＶＤの記録面に特殊な塗装を施すという技術（４８ＤＶＤ）や、パスワードが入力されたことを条件にＤＶＤの再生を許可する技術がある。
【０００３】
一方、近年、ＤＶＤよりも容量の大きいメディアとして、ブルーレイディスクが普及しつつある。
【発明の開示】
【発明が解決しようとする課題】
【０００４】
しかしながら、視聴を制限するための従来の技術をブルーレイディスク等のメディアに適用したとしても、メディアが再生可能な状態において、該メディア内に格納されたコンテンツデータ（例えば、映像ストリームファイルなど）を一旦コピーしてしまえば、そのコピーされたコンテンツデータを用いることで視聴制限を受けずに映像を再生できてしまう可能性がある。
【０００５】
以上の課題を踏まえ、本発明は、コンテンツデータがコピーされたとしても、コンテンツデータの再生を制限することができるデータ再生装置及びデータ再生制限システムを提供することを目的とする。
【課題を解決するための手段】
【０００６】
上記目的を達成すべく、本発明のデータ再生装置は、複数の区間データから構成されるコンテンツデータについて、前記区間データを正しい順序とは異なる順序で並べ替えて格納した記憶媒体から、前記コンテンツデータを読み出して再生する装置であって、前記正しい順序を表す順序情報を、前記記憶媒体から、可搬型記憶媒体から、又は通信回線を介して順序情報配信装置から取得する順序情報取得手段と、前記コンテンツデータ内における前記区間データの位置情報を取得するための位置定義情報を、前記記憶媒体から、可搬型記憶媒体から、又は通信回線を介して位置定義配信装置から取得する位置定義取得手段と、前記取得した順序情報及び位置定義情報に基づき、前記正しい順序に従って前記コンテンツデータ内における前記区間データの位置情報を取得し、該取得した位置情報に基づき、前記記憶媒体から区間データを取得して再生する手段と、を備えることを特徴とする。
【０００７】
本発明の実施形態では、前記順序情報は、前記区間データの識別情報を用いて前記正しい順序を表しており、前記位置定義情報は、前記区間データごとに、識別情報、再生開始時間、及び再生終了時間を前記正しい順序とは異なる順序に並べたプレイリストと、前記再生開始時間及び前記再生終了時間にそれぞれ対応する前記コンテンツデータ内のアドレスを表すアドレステーブルとから構成され、前記再生する手段は、前記取得した順序情報に含まれる前記区間データの識別情報に基づき、前記プレイリスト及び前記アドレステーブルから、該識別情報に対応する区間データについて、再生開始時間に対応するアドレス及び再生終了時間に対応するアドレスを該区間データの位置情報として取得するように構成される。
【０００８】
詳細には、順序情報取得手段は、前記順序情報を暗号化された状態で取得してもよい。この場合、前記順序情報を復号するための鍵を、通信回線を介して鍵管理装置から取得し、前記順序情報取得手段が前記記憶媒体から取得した順序情報を、前記取得した鍵を用いて復号する手段をさらに備えるのがよい。
【０００９】
本発明の別のデータ再生装置は、複数の区間データから構成されるコンテンツデータについて、前記区間データを正しい順序とは異なる順序で並べ替えて格納した記憶媒体から、前記コンテンツデータを読み出して再生する装置であって、前記記憶媒体内に暗号化された状態で格納され、前記区間データごとに、再生開始時間及び再生終了時間を前記正しい順序に並べたプレイリストファイルを前記記憶媒体から取得するプレイリストファイル取得手段と、前記再生開始時間及び前記再生終了時間に対応する前記コンテンツデータ内のアドレスを表すクリップインフォファイルを前記記憶媒体から取得する手段と、前記プレイリストファイルを復号するための鍵を通信回線を介して鍵管理装置から取得し、前記取得したプレイリストファイルを復号する手段と、前記復号したプレイリストファイル及び前記クリップインフォファイルを参照し、前記正しい順序に従って、前記区間データごとに再生開始時間に対応するアドレス及び再生終了時間に対応するアドレスを取得し、該取得したアドレスに基づき、前記記憶媒体から区間データを抽出して再生する手段と、を備えることを特徴とする。
【００１０】
本発明のまた別のデータ再生装置は、複数の区間データから構成されるコンテンツデータについて、前記区間データを正しい順序とは異なる順序で並べ替えて格納した記憶媒体から、前記コンテンツデータを読み出して再生する装置であって、前記区間データごとに、再生開始時間及び再生終了時間を前記正しい順序に並べたプレイリストファイルを、通信回線を介してプレイリストファイル管理装置から取得するプレイリストファイル取得手段と、前記再生開始時間及び前記再生終了時間に対応する前記コンテンツデータ内のアドレスを表すクリップインフォファイルを前記記憶媒体から取得する手段と、前記プレイリストファイル及び前記クリップインフォファイルを参照し、前記正しい順序に従って、前記区間データごとに再生開始時間に対応するアドレス及び再生終了時間に対応するアドレスを取得し、該取得したアドレスに基づき、前記記憶媒体から区間データを抽出して再生する手段と、を備えることを特徴とする。
【００１１】
本発明のデータ再生制限システムは、複数の区間データから構成されるコンテンツデータについて、前記区間データを正しい順序とは異なる順序で並べ替えて格納した記憶媒体から、前記コンテンツデータを読み出して再生するデータ再生装置と、前記データ再生装置に対して前記コンテンツデータの再生に必要な情報を送信する管理サーバとを含むデータ再生制限システムであって、前記データ再生装置は、前記記憶媒体に暗号化された状態で格納され、前記正しい順序を表す順序情報を前記記憶媒体から取得する順序情報取得手段と、前記順序情報を復号するための鍵を、通信回線を介して前記管理サーバから取得し、順序情報取得手段が取得した順序情報を、前記取得した鍵を用いて復号する手段と、前記コンテンツデータ内における前記区間データの位置情報を取得するための位置定義情報を、前記記憶媒体から、可搬型記憶媒体から、又は通信回線を介して前記管理サーバから取得する位置定義取得手段と、前記復号した順序情報及び前記取得した位置定義情報に基づき、前記正しい順序に従って前記コンテンツデータ内における前記区間データの位置情報を取得し、該取得した位置情報に基づき、前記記憶媒体から区間データを取得して再生する手段と、を備え、前記管理サーバは、前記鍵を格納する手段と、前記データ再生装置からの要求に応じて、前記鍵を前記必要な情報として前記データ再生装置へ送信する手段と、を備える、ことを特徴とする。
【００１２】
本発明の別のデータ再生制限システムは、複数の区間データから構成されるコンテンツデータについて、前記区間データを正しい順序とは異なる順序で並べ替えて格納した記憶媒体から、前記コンテンツデータを読み出して再生するデータ再生装置と、前記データ再生装置に対して前記コンテンツデータの再生に必要な情報を送信する管理サーバとを含むデータ再生制限システムであって、前記データ再生装置は、前記正しい順序を表す順序情報を、通信回線を介して前記管理サーバから取得する順序情報取得手段と、前記コンテンツデータ内における前記区間データの位置情報を取得するための位置定義情報を、前記記憶媒体から、可搬型記憶媒体から、又は通信回線を介して前記管理サーバから取得する位置定義取得手段と、前記取得した順序情報及び位置定義情報に基づき、前記正しい順序に従って前記コンテンツデータ内における前記区間データの位置情報を取得し、該取得した位置情報に基づき、前記記憶媒体から区間データを取得して再生する手段と、を備え、前記管理サーバは、前記順序情報を格納する手段と、前記データ再生装置からの要求に応じて、前記順序情報を前記必要な情報として前記データ再生装置へ送信する手段と、を備える、ことを特徴とする。
【００１３】
なお、本発明において、手段とは、単に物理的手段を意味するものではなく、その手段が有する機能をソフトウェアによって実現する場合も含む。また、１つの手段や装置（サーバを含む）が有する機能が２つ以上の物理的手段や装置により実現されてもよいし、２つ以上の手段や装置の機能が１つの物理的手段や装置により実現されてもよい。
【発明の効果】
【００１４】
本発明によれば、複数の区間データから構成されるコンテンツデータについて、それら区間データを正しい順序とは異なる順序で並べ替えて格納した記憶媒体からコンテンツデータを読み出して再生するように構成したことにより、コンテンツデータがコピーされても、そのデータの正常な再生が制限される枠組みを提供することができる。具体的には、該コンテンツデータをそのまま再生する場合、正しい順序とは異なる順序で再生されるため、コンテンツデータをコピーした者は内容を理解することができず、実質的に視聴を制限することが可能となる。
【００１５】
かかる効果は、コンテンツデータの再生に必要な情報（順序情報と位置定義情報の一部又は全部）が記憶媒体に格納されておらず、これらの情報を、該記憶媒体とは異なる可搬型記憶媒体から又は通信回線を介してデータ再生装置とは異なる装置（例えば、管理サーバ）から取得する構成を採用することにより一層高まる。或いは、上記再生に必要な情報が暗号化されており、これらの情報を復号するための鍵を、データの再生に必要な情報として、通信回線を介してデータ再生装置とは異なる装置（例えば、管理サーバ）から取得する構成を採用することによっても同様に一層大きな効果が得られる。
【発明を実施するための最良の形態】
【００１６】
以下、本発明のデータ再生制限システム１及びデータ再生装置３ａ〜ｃに関する実施形態を、図面を参照して説明する。
【００１７】
図１は、本発明のデータ再生制限システム１の構成を示す。
【００１８】
データ再生制限システム１は、ブルーレイディスク５ａ〜ｃに格納されているコンテンツデータが、データ再生装置３ａ〜ｃにおいて正しく再生され（利用者にとって理解可能に再生され）るかどうかを制御する。本実施形態では、コンテンツデータは、正しい順序とは異なる順序で並べられた複数の区間データから構成されている。
【００１９】
かかる制御を実現するために、本システム１は、通信回線を介して通信可能に接続された複数のデータ再生装置３ａ〜ｃと管理サーバ７とを含んで構成される。通信回線としては、例えばインターネットが考えられる。なお、図では、データ再生装置３ａ〜ｃを３つ示しているが、１以上であれば幾つであってもよい。
【００２０】
また、正しい順序とは、視聴者がコンテンツの内容を理解できる通常の再生順序（コンテンツ作成者が意図した再生順序）であり、正しい順序とは異なる順序とは、それ以外の順序であって、例えば、ランダムな再生順序などのように、視聴者にとってコンテンツの内容が理解できない再生順序が考えられる。以下、正しい順序とは異なる順序を「難視聴順序」と称する。
【００２１】
コンテンツデータとしては、映画、アニメーション、演劇、又はコンサート等の音声付き映像に関する映像ストリームファイルや、音楽又はセミナー等の音声に関する音声ストリームファイルが考えられる。
【００２２】
データ再生装置３ａ〜ｃの各々は、ブルーレイディスク５ａ〜ｃに格納されているコンテンツデータを読み出して再生する機能を有する。また、管理サーバ７に対してコンテンツデータの再生に必要な情報の送信を要求し、管理サーバ７から該情報を取得する機能も有する。
【００２３】
管理サーバ７は、データ再生装置３ａ〜ｃからの要求に応じて、コンテンツデータの再生に必要な情報を送信する機能を有する。本実施形態では、管理サーバ７は、データ再生装置３ａ〜ｃから前記再生に必要な情報の要求があったとき、正当な装置からの要求であるということが確認できた（認証が成功した）ことを条件に、該情報を要求元のデータ再生装置に対して送信する。当該判断に係る情報処理については、図１０を参照して後述する。なお、正当な装置とは、例えば、ブルーレイディスク５ａを正規に購入した者や賃借した者が所有する装置、及び正規にユーザ登録した者が所有する装置が考えられる。
【００２４】
図２は、データ再生装置３ａ〜ｃのハードウェア構成を示す。
【００２５】
データ再生装置３ａ〜ｃは、中央処理装置（ＣＰＵ）２０１、ＲＡＭ２０２、ＲＯＭ２０３、ハードディスクドライブ（ＨＤＤ）２０４、表示部２０５、入力部２０６、通信部２０７、出力部２０８、メディアＩＦ２０９、及びこれらを相互に接続するバスを用いて構成される。
【００２６】
ＲＯＭ２０２は、データ再生装置３ａ〜ｃの動作態様を規定するプログラム等の情報を格納する。
【００２７】
ＨＤＤ２０４は、ブルーレイディスク５ａ〜ｃからのコピーが許可されているコンテンツデータ等の情報を、利用者の指示に応じて格納する。
【００２８】
表示部２０５は、再生中のコンテンツデータに関する各種の情報（例えば、映画のタイトル、再生時間、残り時間など）や、データ再生装置３ａ〜ｃの操作方法に関する情報等を表示する。
【００２９】
入力部２０６としては、利用者からの手動操作を受け付けるボタンや、リモコン操作を受け付けるインターフェイス（赤外線受信装置など）が考えられる。
【００３０】
通信部２０７は、データ再生装置３ａ〜ｃを無線通信又は有線通信可能に通信回線に接続するための装置（ＬＡＮアダプタや無線ＬＡＮカードなど）である。
【００３１】
出力部２０８は、再生中のコンテンツデータの映像データ及び音声データなどを出力する装置（例えば出力端子）である。例えば、利用者は、出力部２０８とモニタ（例えばテレビ）の入力端子との間をケーブル接続することにより、データ再生装置３ａ〜ｃで再生した映像をモニタに表示させて視聴することができる。また、データ再生装置３ａ〜ｃは、出力部２０８として、モニタとスピーカを備えていてもよい。
【００３２】
メディアＩＦ２０９は、ブルーレイディスク５ａ〜ｃとの間でデータの読み取り及び書き込みを行うためのインターフェイスである。本実施形態では、ブルーレイディスクドライブをメディアＩＦ２０９として用いるものとする。
【００３３】
なお、管理サーバ７については、ＣＰＵ、ＲＡＭ、ＲＯＭ、ＨＤＤ、ディスプレイ、入力部（例えば、キーボード及びマウス）、及び通信部（例えば、ＬＡＮアダプタ）を備える一般的な情報処理装置によって実現される。ここでは、管理サーバ７のハードウェア構成の図示を省略する。
【００３４】
図３は、データ再生装置３ａの構成を示す。
【００３５】
データ再生装置３ａ〜ｃの構成はいずれも共通であるため、ここではデータ再生装置３ａについて説明する。
【００３６】
本実施形態におけるデータ再生装置３ａは、複数の区間データから構成されるコンテンツデータについて、区間データを難視聴順序に並べ替えて格納したブルーレイディスク５ａから、該コンテンツデータを読み出して再生するため、例えば、ＲＯＭ２０３又はＨＤＤ２０２に記録されている所定のプログラムをＣＰＵ２０１が実行することにより機能的に実現される各種の手段を備える。
【００３７】
具体的には、データ再生装置３ａは、
ブルーレイディスク５ａに暗号化された状態で格納され、正しい順序を区間データの識別情報を用いて表した順序情報をブルーレイディスク５ａから取得する順序情報取得手段３０１と、
区間データの識別情報に基づいてコンテンツデータ内における該区間データの位置情報を取得するための位置定義情報を、ブルーレイディスク５ａから取得する位置定義取得手段３０２と、
当該データ再生装置３ａが正当な装置であることを管理サーバ７において判断させる（認証が成功した状態にする）ために、例えば、データ再生装置３ａの識別情報、ブルーレイディスク５ａの識別情報、及び再生対象となるコンテンツデータの識別情報（以下、これらをまとめて「認証要求情報」という。）を管理サーバ７へ送信し、認証結果を管理サーバ７から受信する認証要求手段３０３と、
認証が成功した場合に、順序情報を復号するための鍵を、通信回線を介して管理サーバ７から取得し、順序情報取得手段３０１が取得した順序情報を、該鍵を用いて復号する手段（復号手段）３０４と、
上記復号した順序情報及び上記取得した位置定義情報に基づき、正しい順序に従ってコンテンツデータ内における区間データの位置情報を取得し、該取得した位置情報に基づき、ブルーレイディスク５ａから区間データを取得して再生する手段（再生手段）３０５と、
を備える。
【００３８】
上記の各手段による情報処理の具体的な内容については、図１０を参照して後述する。また、上記の各手段は、それらの一部又は全部の機能を有する処理装置（ＣＰＵ２０１とは別のハードウェア）を設けることにより実現されてもよい。
【００３９】
本実施形態では、認証要求情報は、例えば、データ再生装置３ａの識別情報を表す再生装置ＩＤ、ブルーレイディスク５ａの識別情報を表すディスクＩＤ、及びコンテンツデータの識別情報を表すタイトルＩＤから構成される。再生装置ＩＤは、例えば、ＲＯＭに記録しておくことができる。
【００４０】
なお、データ再生制限システム１において取り扱われるコンテンツデータ、順序情報、及び位置定義情報の内容については、図５〜７を参照して後述する。
【００４１】
図４は、ブルーレイディスク５ａの構成を示す。
【００４２】
ブルーレイディスク５ａ〜ｃの構成はいずれも共通であるため、ここではブルーレイディスク５ａについて説明する。
【００４３】
本実施形態におけるブルーレイディスク５ａは、コンテンツデータ４０１、順序情報４０２、位置定義情報４０３、ディスクＩＤ４０６、及びタイトルＩＤ４０７を格納する。
【００４４】
本実施形態では、位置定義情報４０３は、
コンテンツデータ４０１を構成する区間データごとの識別情報、再生開始時間、及び再生終了時間を用いて、該区間データの難視聴順序を表したプレイリスト４０４と、
再生開始時間及び前記再生終了時間に対応するコンテンツデータ内のアドレスを表すアドレステーブル４０５と、
を含んで構成される。
【００４５】
ここで、ブルーレイディスクの規格においては、プレイリストはプレイリストファイルと呼ばれ、アドレステーブルはクリップインフォファイルと呼ばれることがある。
【００４６】
ディスクＩＤ４０６は、ブルーレイディスク５ａの識別情報であり、タイトルＩＤ４０７は、該ブルーレイディスク５ａに格納されているコンテンツデータ４０１の識別情報である。
【００４７】
タイトルＩＤ４０７は、ブルーレイディスク５Ａ内に複数種類のコンテンツデータが格納されている場合、各コンテンツデータを識別できるように、各コンテンツデータに対応して１つずつ格納される。例えば、各タイトルＩＤは、対応するコンテンツデータのディレクトリ内に格納されることにより、各コンテンツデータに対応付けることができる。或いは、各コンテンツデータのヘッダ情報として付与されることにより、各コンテンツデータに対応付けることもできる。
【００４８】
図５は、コンテンツデータ４０１のデータ構造を示す。
【００４９】
本実施形態では、コンテンツデータ４０１は、図示のように、それぞれ異なる識別情報（例えば、「0x00001」など）を持つ複数の区間データから構成される。そして、コンテンツデータ４０１は、該区間データを正しい順序（例えば、「fdksfda、reqgadd、fdaeioe、…」という順序）とは異なる難視聴順序（例えば、「vadndje、cdtsane、fdaeioe、…」という順序）に並べ替えた状態でブルーレイディスク５ａに格納されている。
【００５０】
これら複数の区間データは、所定の長さ（例えば、１分間に相当するデータ長）で区切られている。各区間データの長さは、同じでもよいし、異なっていてもよい。また、区間データは、図では７つ示されているが、もちろん７つ以外の個数に区切られていてもよい。
【００５１】
図６は、順序情報４０２のデータ構造を示す。
【００５２】
順序情報４０２は、区間データの識別情報（区間ＩＤ）と、各区間データの長さを表す情報（例えば、映像尺）とを対応付け、これらの情報を、正しい順序に並べた状態で格納する。区間ＩＤは、各区間データを一意に識別可能な任意の文字列で構成される。本実施形態では、各区間データの映像尺は、図に示すように、すべて１分間とする。また、順序情報４０２は、暗号化された状態で、ブルーレイディスク５ａ〜ｃに格納される。
【００５３】
ここで、一般的なブルーレイディスクには、順序情報４０２に相当する情報が格納されていない。一般的なブルーレイディスクに格納されるコンテンツデータは、そもそも区間データを正しい順序に並べた状態で構成されているとともに、プレイリストも正しい順序を表すように構成されており、順序情報４０２のような区間データの正しい順序を取得するための情報が不要だからである。
【００５４】
図７は、（Ａ）難視聴順序を表すプレイリスト４０４、（Ｂ）アドレステーブル４０５、及び（Ｃ）正しい順序を表すプレイリスト４０６の各々のデータ構造を示す。
【００５５】
（Ａ）のプレイリスト４０４は、各区間データの区間ＩＤと、各区間データのコンテンツデータ４０１内における開始時間（スタートポイント）と、各区間データのコンテンツデータ４０１内における終了時間（エンドポイント）とを対応付け、これらの情報を、現在の区間データの順序（難視聴順序）で並べた状態で格納する。
【００５６】
（Ｂ）のアドレステーブル４０５は、コンテンツデータ４０１内のアドレスを格納する。該アドレステーブル４０５に格納されるアドレスには、各区間データのスタートポイントに対応するコンテンツデータ４０１内のアドレスと、各区間データのエンドポイントに対応するコンテンツデータ４０１内のアドレスとが含まれる。アドレステーブル４０５で管理するアドレスとしては、コンテンツデータ４０１の先頭位置を基準とする相対アドレスが考えられる。
【００５７】
ここで、一般的なブルーレイディスク再生装置は、ブルーレイディスクに格納されたプレイリストに規定されている順序に従って、再生対象となる区間データのアドレスをアドレステーブルから取得し、該アドレスに基づきブルーレイディスクからデータを読み出して再生を行う。
【００５８】
従って、かかる一般的な再生装置を用いて、ブルーレイディスク５ａ内のコンテンツデータ４０１（図５）をそのまま再生すると、プレイリスト４０４に規定されている順序（難視聴順序）でコンテンツデータ４０１が再生されることになる。従って、視聴者は、再生されているコンテンツの内容を理解することができない。これにより、コンテンツデータ４０１をブルーレイディスク５ａから他の記憶媒体へコピーされた場合でも、不正に視聴されるという事態を防ぐことができる。
【００５９】
（Ｃ）の正しい順序を表すプレイリスト４０６は、各区間データの区間ＩＤと、各区間データのコンテンツデータ４０１内における開始時間（スタートポイント）と、各区間データのコンテンツデータ４０１内における終了時間（エンドポイント）とを対応付け、これらの情報を、正しい順序で並べた状態で格納する。
【００６０】
正しい順序を表すプレイリスト４０６は、順序情報４０２（図６）に規定されている区間データの正しい順序に従い、（Ａ）の難視聴順序を表すプレイリスト４０４に格納されている各データ行を並べ替えることにより得られる。
【００６１】
本実施形態では、データ再生装置３ａの再生手段３０５は、コンテンツデータ４０１を再生する際、上記（Ｃ）のプレイリスト４０６を作成するのではなく、順序情報４０２及び上記（Ａ）のプレイリスト４０４を参照することにより、プレイリスト４０６に表されるような区間データの正しい順序、該区間データのスタートポイント、及び該区間データのエンドポイントを順次判断しながら、該当する区間データの位置情報（アドレス）を（Ｂ）のアドレステーブル４０５から取得し、この位置情報に基づいてブルーレイディスク５ａから区間データを取得して再生する。なお、コンテンツデータ４０１を再生する際に、予め（Ｃ）のプレイリスト４０６を作成するようにしてもよい。
【００６２】
図８は、管理サーバ７の構成を示す。
【００６３】
管理サーバ７は、データ再生装置３ａ〜ｃに対してコンテンツデータ４０１の再生に必要な情報（本実施形態では、順序情報４０２を復号するための鍵［復号鍵］）を送信するため、例えば、ＲＯＭ又はＨＤＤに記録されている所定のプログラムをＣＰＵが実行することにより機能的に実現される手段として、
通信回線を介して認証要求情報を受信したとき、該情報の送信元であるデータ再生装置３ａ〜ｃが正当な装置であるかどうか（認証が成功するかどうか）を判断する認証処理手段８０１と、
データ再生装置３ａ〜ｃからの要求に応じて、該装置の認証が成功していることを条件に、要求元のデータ再生装置３ａ〜ｃに対して復号鍵を送信する復号鍵送信手段８０２と、
を備える。
【００６４】
これらの手段による情報処理の具体的な内容については、図１０を参照して後述する。
【００６５】
また、管理サーバ７は、上記の各手段による情報処理に用いられる各種の情報を格納するデータベースとして、
データ再生装置３ａ〜ｃの認証に必要な情報を格納する認証情報ＤＢと、
順序情報４０２を復号するための鍵を格納する手段（鍵情報ＤＢ）と、
を備える。
【００６６】
鍵情報ＤＢは、コンテンツデータ４０１のタイトルＩＤと、該コンテンツデータ４０１の順序情報４０２の復号鍵とを対応付けて格納するデータベースが考えられる。認証情報ＤＢのデータ構造については、図９を参照して後述する。これらのＤＢは、例えば、管理サーバ７のＨＤＤ内に格納される。
【００６７】
図９は、認証情報ＤＢのデータ構造を示す。
【００６８】
認証情報ＤＢは、各データ再生装置３ａ〜ｃから管理サーバ７へ送信される認証要求情報に対応する情報（認証情報）として、再生装置ＩＤと、ディスクＩＤと、タイトルＩＤとを対応付けて格納する。
【００６９】
認証情報ＤＢには、例えば、データ再生装置３ａを所有する利用者が店舗にてブルーレイディスク５ａを購入した際に、該装置３ａの再生装置ＩＤと、該ディスク５ａのディスクＩＤ４０６と、該ディスク５ａに格納されているコンテンツのタイトルＩＤ４０７とが対応付けられて認証情報として格納される。
【００７０】
本実施形態では、認証情報を認証情報ＤＢに格納するため、図１には示されていないが、店舗に設置されるコンピュータと、管理サーバ７とが通信回線を介して接続されているものとする。例えば、店舗のスタッフは、ブルーレイディスクを購入する利用者から再生装置ＩＤを取得（聴取により取得、又は該ＩＤを記憶したＩＣカードを読み取ることにより取得）し、店舗に設置されているコンピュータに入力する。入力された再生装置ＩＤは、購入対象となるブルーレイディスクのディスクＩＤ及び該ディスクに格納されているコンテンツのタイトルＩＤとともに管理サーバ７へ送信され、認証情報ＤＢに格納される。なお、ブルーレイディスクが利用者によって賃借される場合にも、同様の構成を用いることができる。
【００７１】
また別の例として、例えば、ブルーレイディスクの購入者又は賃借者からユーザＩＤを取得（聴取により取得、又は該ＩＤを記憶したＩＣカードを読み取ることにより取得）するようにしてもよい。この場合、店舗に設置されたコンピュータ又は管理サーバにおいて、ユーザＩＤと各利用者の所有するデータ再生装置の再生装置ＩＤとを対応付けたデータベースを保持しておく。店舗のコンピュータ又は管理サーバは、ユーザＩＤが入力されたとき、そのデータベースを参照することにより、ディスクの購入者又は賃借者に対応する再生装置ＩＤを取得することができる。なお、この場合においても、上記と同様に、再生装置ＩＤ、ディスクＩＤ、及びタイトルＩＤが認証情報ＤＢに格納される。
【００７２】
図１０は、データ再生装置３ａ及び管理サーバ７による情報処理の流れを表すフローチャートである。以下、この図を参照して、かかる情報処理の流れを説明する。
【００７３】
データ再生装置３ａの認証要求手段３０３は、ブルーレイディスクドライブ２０９にブルーレイディスク５ａが挿入されると、そのことを検出し（ＳＴ１０１）、ブルーレイディスク５ａからディスクＩＤ４０６及びタイトルＩＤ４０７を取得する。
【００７４】
ここで、認証要求手段３０３は、ブルーレイディスク５ａ内に複数種類のコンテンツデータが格納されている場合、利用者によるコンテンツデータの選択操作に応じて、再生対象となるコンテンツデータを特定し、該コンテンツデータに対応するタイトルＩＤを取得することができる。
【００７５】
次に、認証要求手段３０３は、データ再生装置３ａのＲＯＭから、再生装置ＩＤを取得し（ＳＴ１０３）、ブルーレイディスク５ａから取得したディスクＩＤ４０６及びタイトルＩＤ４０７とともに、認証要求情報として管理サーバ７へ送信する（ＳＴ１０４）。
【００７６】
管理サーバ７の認証処理手段８０１は、データ再生装置３ａから認証要求情報を受信すると（ＳＴ１０５）、認証情報ＤＢを参照し、受信した認証要求情報と認証情報ＤＢ内のデータとを照合し、認証要求情報が認証情報ＤＢに含まれているかどうか（認証が成功するかどうか）を判断する（ＳＴ１０６）。認証処理手段８０１は、かかる認証処理が完了すると、認証の結果に関する情報（認証結果情報）を、認証要求情報の送信元であるデータ再生装置３ａへ送信する（ＳＴ１０７）。
【００７７】
データ再生装置３ａの認証要求手段３０３は、管理サーバ７から認証結果情報を受信すると（ＳＴ１０８）、該認証結果情報が肯定的な内容（認証が成功したこと）を表している場合、復号手段３０４へその旨を通知する。一方、認証結果情報が否定的な内容（認証が失敗したこと）を表している場合には、データ再生装置３ａの表示部２０５にその旨を表示するなどの方法により、コンテンツデータ４０１を再生できないことを利用者に提示することが考えられる。
【００７８】
データ再生装置３ａの復号手段３０４は、認証要求手段３０３から肯定的な認証結果情報に関する通知を受けると、管理サーバ７に対して、順序情報４０２を復号するための復号鍵の送信を要求する（ＳＴ１０９）。かかる要求の際には、例えば、再生対象となるコンテンツデータ４０１に関するタイトルＩＤ４０７も送信されるものとする。
【００７９】
管理サーバ７の復号鍵送信手段８０２は、データ再生装置３ａからの要求を受信すると（ＳＴ１０７）、要求元であるデータ再生装置３ａについて認証が成功していることを条件に、該要求とともに受信したタイトルＩＤ４０７に基づいて、鍵情報ＤＢから該タイトルＩＤ４０７に対応する復号鍵を取得する（ＳＴ１１１）。復号鍵送信手段８０２は、鍵情報ＤＢから取得した復号鍵を、要求元であるデータ再生装置３ａへ送信する（ＳＴ１１２）。
【００８０】
データ再生装置３ａの復号手段３０４は、管理サーバ７から復号鍵を受信すると（ＳＴ１１３）、その旨を順序情報取得手段３０１及び位置定義取得手段３０２へ通知する。
【００８１】
かかる通知を受けて、順序情報取得手段３０１は、ブルーレイディスク５ａから順序情報４０２を取得し、位置定義取得手段３０２は、ブルーレイディスク５ａから位置定義情報４０３を取得する（ＳＴ１１４）。
【００８２】
データ再生装置３ａの復号手段３０４は、管理サーバ７から取得した復号鍵を用いて、順序情報取得手段３０１が取得した順序情報を復号する（ＳＴ１１５）。
【００８３】
そして、データ再生装置３ａの再生手段３０５は、復号手段３０４が復号した順序情報及び位置定義取得手段３０２が取得した位置定義情報に基づき、正しい順序に従ってコンテンツデータ４０１内における区間データの位置情報を取得し（ＳＴ１１６）、該取得した位置情報に基づき、ブルーレイディスク５ａから区間データを取得して再生し（ＳＴ１１７）、全ての区間データの再生が終了するまでＳＴ１１６及びＳＴ１１７の処理を繰り返す。
【００８４】
具体的には、再生手段３０５は、復号された順序情報に含まれる正しい順序で記述された区間データの識別情報を順次取得し、該取得した順序情報に基づき、位置定義情報４０３に含まれるプレイリスト４０４及びアドレステーブル４０５から、該識別情報に対応する区間データについて、スタートポイントに対応するコンテンツデータ４０１内のアドレス及びエンドポイントに対応するコンテンツデータ４０１内のアドレスを該区間データの位置情報として取得する。そして、ブルーレイディスク５ａにアクセスし、該スタートポイントに対応するコンテンツデータ４０１内のアドレスからエンドポイントに対応するコンテンツデータ４０１内のアドレスまでの格納領域に存在する区間データを読み出すことにより、１つの区間データを再生する。
【００８５】
再生手段３０５は、１つの区間データの再生が完了すると、コンテンツデータ４０１の再生が終了したか、すなわち再生対象となるコンテンツデータ４０１を構成する全ての区間データが再生されたかどうかを判断する（ＳＴ１１８）。
【００８６】
上記判断の結果、再生が終了していない場合（上記判断が“Ｎｏ”の場合）、再生手段３０５は、ＳＴ１１６の処理へ移行し、次の順番の区間データを再生する（ＳＴ１１６，ＳＴ１１７）。
【００８７】
一方、上記判断の結果、再生が終了した場合（上記判断が“Ｙｅｓ”の場合）、再生手段３０５は、処理を終了する。
【００８８】
本発明のデータ再生装置３ａ〜ｃ及びデータ再生制限システム１によれば、ブルーレイディスク５ａ〜ｃに格納されたコンテンツデータ４０１の正常な再生を制限する枠組みを提供することができる。具体的には、一般的なブルーレイディスク再生装置は、プレイリストに従ってコンテンツデータを再生することしかできないため、例えば、ブルーレイディスク５ａに格納されているプレイリスト４０４のように、プレイリスト４０４が難視聴順序を表している場合、正しい順序で区間データを再生することができない。また、ブルーレイディスク５ａに格納されているコンテンツデータ４０１（図５）は、区間データを難視聴順序に並べ替えた状態であるため、コンテンツデータ４０１がコピーされたとしても、該コンテンツデータ４０１の正常な再生を制限することができる。
【００８９】
以上、本発明の一実施形態について説明したが、本発明は上記の実施形態に限定されず、発明の要旨を変更しない範囲で適宜の変更が可能である。以下、本発明の変形例を説明する。
［変形例］
図１１は、本発明のデータ再生制限システムの変形例における管理サーバ７の構成を示す。
【００９０】
（Ａ）は、ブルーレイディスク５ａ〜ｃには順序情報４０２（図４）が格納されておらず、データ再生装置３ａ〜ｃが順序情報４０２を管理サーバ７から取得する場合における、当該管理サーバ７の構成を示す。
【００９１】
かかる場合には、管理サーバ７は、タイトルＩＤと順序情報４０２とを対応付けて格納する順序情報ＤＢと、認証が成功したデータ再生装置３ａ〜ｃからの要求に応じて、再生対象となるコンテンツデータに対応する順序情報４０２を順序情報ＤＢから抽出し、要求元のデータ再生装置３ａ〜ｃへ送信する順序情報送信手段８０３と、を備える。また、この場合、データ再生装置３ａ〜ｃにおいては、順序情報取得手段３０１が、管理サーバ７に対して順序情報４０２の送信を要求するように構成することができる。管理サーバ７から取得した順序情報４０２が暗号化されていない場合、データ再生装置３ａ〜ｃは、復号手段３０４を備えていなくてもよい。
【００９２】
（Ｂ）は、コンテンツデータ４０１を構成する各区間データが暗号化された状態でブルーレイディスクに格納されており、データ再生装置３ａ〜ｃが、該区間データの復号鍵と、順序情報４０２とを管理サーバ７から取得する場合における、当該管理サーバ７の構成を示す。なお、この場合においても、ブルーレイディスク５ａ〜ｃには、順序情報４０２が格納されていないものとする。
【００９３】
かかる場合には、データ再生装置３ａ〜ｃと管理サーバ７との間で行われる復号鍵の送受信処理は、前述の実施形態における順序情報４０２の復号鍵の送受信処理と同様である。また、データ再生装置３ａ〜ｃと管理サーバ７との間で行われる順序情報４０２の送受信処理は、上記（Ａ）の例における処理と同様である。なお、暗号化された区間データを再生する際には、再生手段３０５は、ブルーレイディスク５ａから区間データを取得するたびに該区間データを順次復号し再生してもよいし、再生対象となるコンテンツデータ４０１を構成する全ての区間データをまとめて復号し、該復号した区間データをＲＡＭ又はＨＤＤに一旦格納し、該格納した区間データを再生してもよい。
【００９４】
（Ｃ）は、データ再生装置３ａ〜ｃが管理サーバ７から正しい順序を表すプレイリストを取得する場合における、当該管理サーバ７の構成を示す。なお、この場合においては、ブルーレイディスク５ａ〜ｃには、難視聴順序を表すプレイリスト４０４（図４，図７（Ａ））及び順序情報４０２が格納されていないものとする。
【００９５】
上記の場合には、管理サーバ７は、ブルーレイディスク５ａ〜ｃに格納されている各コンテンツデータ４０１に対応（例えば、タイトルＩＤに対応）する正しい順序のプレイリスト４０６（図７（Ｃ））を格納するプレイリストＤＢと、データ再生装置３ａ〜ｃからの要求に応じて、再生対象となるコンテンツデータ４０１に対応するプレイリスト４０６をプレイリストＤＢから抽出し、要求元のデータ再生装置３ａ〜ｃへ送信するプレイリスト送信手段８０４と、を備える。
【００９６】
この場合、データ再生装置３ａ〜ｃにおいては、例えば、再生手段３０５が、管理サーバ７に対してプレイリスト４０６の送信を要求するように構成することができる。また、順序情報取得手段３０１及び復号手段３０４は備えていなくてもよい。そして、データ再生装置３ａ〜ｃの再生手段３０５は、管理サーバ７から取得したプレイリスト４０６と、位置定義取得手段３０２がブルーレイディスク５ａ〜ｃから取得したアドレステーブル４０５とに基づき、ブルーレイディスク５ａ〜ｃから区間データを取得して再生する。
【００９７】
前述の実施形態とは異なり、ブルーレイディスク５ａ内に、難視聴順序を表すプレイリスト４０４に替えて、正しい順序を表すプレイリスト４０６（図７（Ｃ））を暗号化した状態で格納しておいてもよい。この場合、管理サーバ７の鍵情報ＤＢには、プレイリスト４０６の復号鍵を格納しておく。データ再生装置３ａの復号手段３０４は、管理サーバ７に対して該プレイリスト４０６の復号鍵の送信を要求し、管理サーバ７から受信した複合鍵を用いてプレイリスト４０６を復号する。なお、この場合においては、ブルーレイディスク５ａ〜ｃには、順序情報４０２が格納されていないものとする。また、プレイリスト４０６には、区間ＩＤが格納されていなくてもよい。
【００９８】
前述の実施形態では、各区間データの映像尺は、図６に示すように、すべて１分間であるが、これより長くてもよいし、或いは短くてもよいし、更には区間データごとに異なっていてもよい。
【００９９】
前述の実施形態及び各変形例において、データ再生装置３ａが備える各手段は、一又は複数の手段にまとめて構成されていてもよいし、更に細分化されていてもよい。管理サーバ７の各手段についても同様である。例えば、データ再生装置３ａ（図３）の位置定義取得手段３０２は、ブルーレイディスク５ａからプレイリスト４０４を取得するプレイリスト取得手段と、アドレステーブル４０５を取得するアドレステーブル取得手段とに分けて構成されていてもよい。
【０１００】
前述の実施形態及び各変形例においては、管理サーバ７は、復号鍵を送信する鍵管理機能、順序情報を送信する順序情報配信機能、及び位置定義情報（プレイリストとアドレステーブルの一方又は両方）を送信する位置定義配信機能の一部又は全部を備える一つの装置として構成されているが、全体としてこれらの機能を有していれば足り、管理サーバ７が通信回線上で分散された複数の装置により構成されてもよい。
【０１０１】
前述の実施形態及び変形例においては、順序情報は、ブルーレイディスク５ａ〜ｃから取得されるか、又は管理サーバ７から取得されるように構成されているが、ＣＤ−ＲＯＭやフラッシュメモリ等の可搬型の記憶媒体から取得してもよい。
【０１０２】
前述の実施形態及び変形例においては、位置定義情報は、ブルーレイディスク５ａ〜ｃから取得されるか、又は位置定義情報のうちのプレイリストが管理サーバ７から取得されるように構成されているが、位置定義情報（プレイリストとアドレステーブルの一方又は両方）は、管理サーバ７から又はＣＤ−ＲＯＭやフラッシュメモリ等の可搬型の記憶媒体から取得してもよい。
【０１０３】
この変形例において、管理サーバ７が正しい順序を表すプレイリスト４０６を保持し、データ再生装置３ａ〜ｃが管理サーバ７から該プレイリスト４０６を取得する手段を備えていてもよく、かかる場合には、ブルーレイディスク５ａ〜ｃには順序情報４０２及び位置定義情報４０３が格納されず、データ再生装置３ａ〜ｃは順序情報取得手段３０１を備えていないものとする。
【０１０４】
前述の実施形態では、順序情報４０２が暗号化された状態でブルーレイディスク５ａに格納されているが、暗号化されていなくてもよい。この場合、管理サーバ７から順序情報４０２の復号鍵を取得する必要がないため、データ再生装置３ａ〜ｃ単体で、本発明が提供しようとする枠組み（コンテンツデータの正常な再生を制限する枠組み）を実現できる。
【０１０５】
データ再生装置３ａ〜ｃは、該装置３ａ〜ｃが通信回線を介して複数の外部装置（例えば、鍵管理機能を有する装置、順序情報配信機能を有する装置、及び位置定義配信機能を有する装置など）にアクセスするように構成されている場合、これら外部装置へのアクセスと、アクセス先からのレスポンスとを一元管理（中継）する機能を備えていてもよい。かかる機能は、ソフトウェア又は／及びハードウェアを用いて、プロキシサーバ等に関する従来技術を利用して実現することができる。
【図面の簡単な説明】
【０１０６】
【図１】実施形態のデータ再生制限システムの構成を示す図。
【図２】データ再生装置のハードウェア構成を示す図。
【図３】データ再生装置の構成を示す図。
【図４】ブルーレイディスクの構成を示す図。
【図５】コンテンツデータのデータ構造を示す図。
【図６】順序情報のデータ構造を示す図。
【図７】（Ａ）難視聴順序を表すプレイリスト、（Ｂ）アドレステーブル、及び（Ｃ）正しい順序を表すプレイリストの各々のデータ構造を示す図。
【図８】管理サーバの構成を示す図。
【図９】認証情報ＤＢのデータ構造を示す図。
【図１０】データ再生装置及び管理サーバによる情報処理の流れを表すフローチャート。
【図１１】本発明のデータ再生制限システムの変形例における管理サーバの構成を示す図。
【符号の説明】
【０１０７】
１        データ再生制限システム
３ａ〜ｃ  データ再生装置
５ａ〜ｃ  ブルーレイディスク
７        管理サーバ
２０１    ＣＰＵ
２０２    ＲＡＭ
２０３    ＲＯＭ
２０４    ＨＤＤ
２０５    表示部
２０６    入力部
２０７    通信部
２０８    出力部
２０９    メディアＩＦ
３０１    順序情報取得手段
３０２    位置定義取得手段
３０３    認証要求手段
３０４    復号手段
３０５    再生手段
４０１    コンテンツデータ
４０２    順序情報
４０３    位置定義情報
４０４    プレイリスト
４０５    アドレステーブル
４０６    正しい順序を表すプレイリスト
８０１    認証処理手段
８０２    復号鍵送信手段
８０３    順序情報送信手段
８０４    プレイリスト送信手段
【図１】
2010050839.tif 000003
【図２】
2010050839.tif 000004
【図３】
2010050839.tif 000005
【図４】
2010050839.tif 000006
【図５】
2010050839.tif 000007
【図６】
2010050839.tif 000008
【図７】
2010050839.tif 000009
【図８】
2010050839.tif 000010
【図９】
2010050839.tif 000011
【図１０】
2010050839.tif 000012
【図１１】
2010050839.tif 000013